(57)【要約】【課題】本発明は、マルチメディアコンテンツファイル共有サービス環境での著作権および視聴等級をリアルタイムでモニタリングするための遺伝子情報を用いたマルチメディアコンテンツファイル管理システム及びその方法に関する。【選択図】図１
2012528378.tif 000002
【特許請求の範囲】
【請求項１】
マルチメディアコンテンツファイルサービスサーバによりマルチメディアコンテンツファイルがダウンロード又はアップロードされるシステムにおいて、
前記マルチメディアコンテンツファイルサービスサーバに搭載され、前記マルチメディアコンテンツファイルサービスサーバにアップロードされるマルチメディアコンテンツファイルをダウンロードして前記マルチメディアコンテンツファイルの遺伝子情報を生成し、マルチメディアコンテンツファイルに生成された遺伝子情報を結合させて転送する遺伝子生成モジュールと、
前記遺伝子生成モジュールから送出される遺伝子情報が結合されたマルチメディアコンテンツファイルを受信して前記マルチメディアコンテンツファイルと結合された遺伝子情報を抽出し、抽出された遺伝子情報と既に格納されている遺伝子情報とを比較して類似した遺伝子情報が存在すると、その結果を出力するコンテンツモニタリングサーバと、を含んでなることを特徴とする遺伝子情報を用いたマルチメディアコンテンツファイル管理システム。
【請求項２】
前記コンテンツモニタリングサーバから送出される比較結果を受信して、ユーザにより選択されたマルチメディアコンテンツファイルの再生可否を決定し、再生決定結果を前記コンテンツモニタリングサーバに送出するユーザ端末機と、
前記コンテンツモニタリングサーバから送出されるユーザ端末機の再生決定結果を画面上に表示する管理者端末機と、
前記マルチメディアコンテンツファイルサービスサーバ、コンテンツモニタリングサーバ、ユーザ端末機および管理者端末機の相互間に通信が行われるようにするデータ通信網と、からなることを特徴とする請求項１に記載の遺伝子情報を用いた  マルチメディアコンテンツファイル管理システム。
【請求項３】
前記ユーザ端末機は、通信モジュールが搭載されたマルチメディアコンテンツファイル再生手段と、ユーザ等級を入力できるユーザインタフェースとを備えた端末機であり、
前記マルチメディアコンテンツファイルは映像データであることを特徴とする請求項２に記載の遺伝子情報を用いたマルチメディアコンテンツファイル管理システム。
【請求項４】
前記マルチメディアコンテンツファイルサービスサーバは、
前記ユーザインターフェース部により入力される信号に応じてデータ通信網を通じて前記マルチメディアコンテンツファイルサービスサーバにオンライン接続をした場合、前記マルチメディアコンテンツファイルサービスサーバで提供する映像データを提供する一方で、ユーザ等級入力案内メッセージを出力し、前記ユーザ等級入力案内メッセージに応じてユーザ等級が入力され、任意の映像データとユーザ等級情報が選択された場合、前記選択された映像データとユーザ等級情報とをコンテンツモニタリングサーバに転送し、前記コンテンツモニタリングサーバから再生実行信号が入力される場合にのみ前記ユーザ端末機に選択された映像データがダウンロードされるようにし、
前記コンテンツモニタリングサーバは、
前記マルチメディアコンテンツファイルサービスサーバから送出されるユーザ等級情報および映像データを受信して前記映像データから遺伝子情報を抽出し、抽出された遺伝子情報と予め登録されている遺伝子情報とを比較して類似した遺伝子情報が存在するか否かを判断し、類似した遺伝子情報が存在すると、映像データの視聴等級情報とユーザ等級情報とを比較して、ユーザが視聴が可能な場合に再生実行信号を前記マルチメディアコンテンツファイルサービスサーバに転送することを特徴とする請求項２又は３に記載の遺伝子情報を用いたマルチメディアコンテンツファイル管理システム。
【請求項５】
前記コンテンツモニタリングサーバは、
映像データの視聴等級情報とユーザ等級情報を比較した結果、ユーザの視聴不可能な等級である場合、再生禁止信号を前記マルチメディアコンテンツファイルサーバに転送する一方で、前記管理者端末機に転送することを特徴とする請求項２又は４に記載の遺伝子情報を用いたマルチメディアコンテンツファイル管理システム。
【請求項６】
マルチメディアコンテンツファイルサービスサーバによりマルチメディアコンテンツファイルがダウンロード又はアップロードされるシステムにおいて、
前記マルチメディアコンテンツファイルサービスサーバに搭載され、前記マルチメディアコンテンツファイルサービスサーバにアップロードされるマルチメディアコンテンツファイルをダウンロードして前記マルチメディアコンテンツファイルのオーディオ遺伝子情報を生成し、マルチメディアコンテンツファイルに生成されたオーディオ遺伝子情報を結合させて転送するオーディオ遺伝子生成モジュールと、
前記オーディオ遺伝子生成モジュールから送出されるオーディオ遺伝子情報が結合されたマルチメディアコンテンツファイルを受信して前記マルチメディアコンテンツファイルと結合されたオーディオ遺伝子情報を抽出し、抽出された遺伝子情報と既に格納されている遺伝子情報と比較して類似したオーディオ遺伝子情報が存在すると、その結果を送出する一方で、外部から受信する著作権抵触情報をＤＢとして構築して格納および管理するコンテンツモニタリングサーバと、
前記コンテンツモニタリングサーバから送出される比較結果を画面上に表示し、前記比較結果画面により入力される著作権抵触有無情報を前記コンテンツモニタリングサーバに転送する管理者端末機と、
前記マルチメディアコンテンツファイルサービスサーバ、コンテンツモニタリングサーバおよび管理者端末機の相互間に通信が行われるようにするデータ通信網と、
を含んでなることを特徴とする遺伝子情報を用いたマルチメディアコンテンツファイル管理システム。
【請求項７】
前記コンテンツモニタリングサーバは、
前記管理者端末機により著作権抵触有無情報が入力されたマルチメディアコンテンツファイルを格納させて管理する著作権管理情報ＤＢと、複数の著作権があるマルチメディアコンテンツファイルを格納するマルチメディアファイルＤＢと、複数の第２オーディオ遺伝子情報を格納しているオーディオ遺伝子情報ＤＢと、著作権が付与されたマルチメディアコンテンツファイルを不法にアップロードさせたユーザ端末機の出処情報を不法アップロード出処情報に前記著作権が付与されたマルチメディアコンテンツファイルにマッチングさせて格納する不法アップロード出処情報ＤＢと、前記マルチメディアファイルＤＢに登録された著作権のあるマルチメディアコンテンツファイルを読み込み、前記著作権のあるマルチメディアコンテンツファイルのオーディオ遺伝子情報を生成し、生成されたオーディオ遺伝子情報を第２オーディオ遺伝子情報として前記オーディオ遺伝子情報ＤＢに格納させる第２オーディオ遺伝子情報生成部と、前記第１オーディオ遺伝子生成モジュールから送出されるオーディオ遺伝子情報が結合されたマルチメディアコンテンツファイルを受信する受信モジュールと、前記受信モジュールから出力されたマルチメディアコンテンツファイルを入力してオーディオ遺伝子情報を抽出し、前記オーディオ遺伝子情報を第１オーディオ遺伝子情報として前記オーディオ遺伝子情報ＤＢに登録された第２オーディオ遺伝子情報と比較し、類似したオーディオ遺伝子情報が存在するか否かを判断して類似したオーディオ遺伝子情報が存在すると、マルチメディアコンテンツファイルとその結果を前記管理者端末機に転送する著作権抵触モニタリング部と、前記管理者端末機から送出される著作権抵触有無情報を受信して、前記著作権抵触モニタリング部にモニタリングされているマルチメディアコンテンツファイルが著作権を抵触していると判定された場合、前記マルチメディアコンテンツファイルのアップロード出処情報を前記アップロード不法出処情報ＤＢに登録させて管理するアップロード不法出処情報更新部とを含んでなることを特徴とする請求項６に記載の遺伝子情報を用いたマルチメディアコンテンツファイル管理システム。
【請求項８】
前記マルチメディアコンテンツファイルは、ウェブ基盤のページにアップロードされるファイルであることを特徴とする請求項１又は６に記載の遺伝子情報を用いたマルチメディアコンテンツファイル管理システム。
【請求項９】
前記マルチメディアコンテンツファイルに結合されたオーディオ遺伝子情報は、前記マルチメディアコンテンツファイルの著作権情報有無を区別できる情報であり、
前記遺伝子情報は、オーディオ遺伝子情報又はビデオ遺伝子情報であることを特徴とする請求項１又は６に記載の遺伝子情報を用いたマルチメディアコンテンツファイル管理システム。
【請求項１０】
前記既に格納されている遺伝子情報は、外部からダウンロードするか、或いはアップデートされた著作権のあるマルチメディアコンテンツファイルに対して生成された遺伝子情報であることを特徴とする請求項１又は６に記載の遺伝子情報を用いたマルチメディアコンテンツファイル管理システム。
【請求項１１】
オーディオ遺伝子情報を用いた著作権管理方法において、
マルチメディアコンテンツファイルサービスサーバに搭載されたオーディオ遺伝子生成モジュールは、前記マルチメディアコンテンツファイルサービスサーバにアップロードされるマルチメディアコンテンツファイルをダウンロードするステップと、
前記マルチメディアコンテンツファイルのオーディオ遺伝子情報を生成するステップと、
マルチメディアコンテンツファイルに生成されたオーディオ遺伝子情報を結合させてコンテンツモニタリングサーバに転送するステップとからなることを特徴とするオーディオ遺伝子情報を用いた著作権管理方法。
【請求項１２】
オーディオ遺伝子情報を用いた著作権管理方法において、
コンテンツモニタリングサーバは、マルチメディアファイルＤＢに登録された著作権のあるマルチメディアコンテンツファイルを読み込むステップと、
前記著作権のあるマルチメディアコンテンツファイルのオーディオ遺伝子情報を生成するステップと、
生成されたオーディオ遺伝子情報を第２オーディオ遺伝子情報としてオーディオ遺伝子情報ＤＢに格納させるステップとからなることを特徴とするオーディオ遺伝子情報を用いた著作権管理方法。
【請求項１３】
オーディオ遺伝子情報を用いた著作権管理方法において、
コンテンツモニタリングサーバは、受信モジュールにより前記オーディオ遺伝子生成モジュールから送出されるオーディオ遺伝子情報が結合されたマルチメディアコンテンツファイルを受信するステップと、
前記受信モジュールから出力されたマルチメディアコンテンツファイルを入力してオーディオ遺伝子情報を抽出するステップと、
前記オーディオ遺伝子情報を第１オーディオ遺伝子情報としてオーディオ遺伝子情報ＤＢに登録された第２オーディオ遺伝子情報と比較して、類似したオーディオ遺伝子情報が存在するか否かを判断するステップと、
判断の結果、類似したオーディオ遺伝子情報が存在すると、マルチメディアコンテンツファイルとその結果を管理者端末機に転送するステップとからなることを特徴とするオーディオ遺伝子情報を用いた著作権管理方法。
【請求項１４】
前記コンテンツモニタリングサーバは、前記管理者端末機から送出される著作権抵触有無情報を受信して、著作権抵触モニタリング部にモニタリングされているマルチメディアコンテンツファイルが著作権を抵触していると判定された場合、アップロード不法出処情報更新部により、前記マルチメディアコンテンツファイルのアップロード出処情報をアップロード不法出処情報ＤＢに登録させて管理できるようにするステップを含むことを特徴とする請求項１３に記載のオーディオ遺伝子情報を用いた著作権管理方法。
【請求項１５】
前記マルチメディアコンテンツファイルは、ウェブ基盤のページにアップロードされたファイルであることを特徴とする請求項１１又は１２又は１３に記載のオーディオ遺伝子情報を用いた著作権管理方法。
【請求項１６】
前記マルチメディアコンテンツファイルに結合されたオーディオ遺伝子情報は、前記マルチメディアコンテンツファイルの著作権情報有無を区別できる情報であることを特徴とする請求項１１又は１２又は１３に記載のオーディオ遺伝子情報を用いた著作権管理方法。
【請求項１７】
前記既に格納されているオーディオ遺伝子情報は、外部からダウンロードするか、或いはアップデートされた著作権のあるマルチメディアコンテンツファイルに対して生成されたオーディオ遺伝子情報であることを特徴とする請求項１１又は１２又は１３に記載のオーディオ遺伝子情報を用いた著作権管理方法。
【発明の詳細な説明】
【技術分野】
【０００１】
本発明は、遺伝子情報を用いたマルチメディアコンテンツファイル管理システム及びその方法に関する。
【０００２】
より詳しくは、別のファイル共有サービスサーバからコンテンツモニタリングモジュールを搭載したファイル共有プログラムが提供され、特定のマルチメディアコンテンツファイルの転送／ダウンロードのとき、リアルタイムで当該マルチメディアコンテンツファイルの遺伝子情報を生成して予め格納されている遺伝子情報と比較して一致する遺伝子情報を検索した後、上記一致する遺伝子情報を持つマルチメディアコンテンツファイルの著作権権利管理情報を確認して後続措置が行われるようにし、マルチメディアコンテンツファイルが映像データ又は動画データである場合、ダウンロード前に視聴等級を確認して視聴等級に応じて再生可能なようにする遺伝子情報を用いたマルチメディアコンテンツファイル管理システム及びその方法に関する。
【背景技術】
【０００３】
近年、インターネットを通したファイル共有が活発に進められている。
【０００４】
特に、動画ＵＣＣ、有名歌手の歌、放送、映画などのマルチメディアファイルがウェブ上にアップロードされ、一般使用者も容易にダウンロードすることができｓる。このようなマルチメディアファイルなどは、主にＰ２Ｐあるいはウェブハードサービスに代表されるインターネットサービスにより共有及び流通しており、上記のように共有及び流通しているマルチメディアファイル中に著作権のあるファイルも不法でウェブ上にアップロードされて無料で配布される事例が急増している。だからといってむやみに全てのマルチメディアファイルのダウンロード及びアップロードを遮断してはならない、これはむしろ全体コンテンツ産業の成長を阻害し得るためである。したがって、著作権を保護すべきマルチメディアファイルは保護し、流通させて有料で販売すべきマルチメディアファイルは流通させることができる新しい著作権管理システム、即ち、コンテンツモニタリングセンターが必要な時点である。上記コンテンツモニタリングセンターは、マルチメディアファイル中に著作権を保護すべきファイルはダウンロードやアップロードを遮断するなど著作権を保護し、有料で販売すべきコンテンツは販売を促進し、さらに、これを権利者に精算してくれるシステムを提供でき、これにより、全体コンテンツ産業の成長に寄与できることになる。
【発明の概要】
【発明が解決しようとする課題】
【０００５】
本発明は、上述した問題点を解決するためになされたものであり、本発明の目的は、別のファイル共有サービスサーバからコンテンツモニタリングモジュールを搭載したファイル共有プログラムが提供され、特定のマルチメディアファイルの転送／ダウンロードのとき、リアルタイムで当該マルチメディアファイルの遺伝子情報を生成し、予め格納されている遺伝子情報と比較して一致する遺伝子情報を検索した後、上記一致する遺伝子情報を持つマルチメディアファイルの著作権権利管理情報を確認して後続措置が行われるようにし、マルチメディアコンテンツファイルが映像データ又は動画データである場合、ダウンロード前に視聴等級を確認して視聴等級に応じて再生可能なように遺伝子情報を用いたマルチメディアコンテンツファイル管理システム及びその方法を提供することにある。
【０００６】
なお、本発明の目的は、Ｐ２Ｐ又はウェブハード（Ｗｅｂ  Ｈａｒｄ）等のようなファイル共有サービス環境下で流通しているマルチメディアファイルからオーディオデータを抽出し、これをオーディオ遺伝子（Ａｕｄｉｏ  ＤＮＡ）に生成できるコンテンツモニタリングモジュールをマルチメディアファイル共有プログラムに搭載させ、ユーザがマルチメディアファイルを転送するか、あるいはダウンロードする場合、リアルタイムで当該マルチメディアファイルのオーディオ遺伝子情報を生成してコンテンツ著作権モニタリングセンターに転送することにより、デジタル著作物の不法コピーおよび流通を防止し、著作権を効果的に保護し流通させることができる遺伝子情報を用いたマルチメディアファイル管理システム及びその方法を提供することにある。
【０００７】
即ち、マルチメディアコンテンツファイルの共有サービス及び流通サービスシステムにおいて、ウェブ上にアップロードされたファイルが共有されるか、あるいは流通する時、当該マルチメディアコンテンツファイルで著作権の有無を確認できるオーディオ遺伝子情報を生成してこれを検索することから、マルチメディアコンテンツファイルの著作権を保護できるようにすることにより、流通を活性化し、全体コンテンツ産業の成長に寄与する。
【課題を解決するための手段】
【０００８】
上記のような目的を達成するための本発明の実施例は、マルチメディアコンテンツファイルサービスサーバによりマルチメディアファイルがダウンロード又はアップロードされるシステムにおいて、上記マルチメディアコンテンツファイルサービスサーバに搭載され、上記マルチメディアコンテンツファイルサービスサーバにアップロードされるマルチメディアファイルをダウンロードして上記マルチメディアファイルの遺伝子情報を生成し、マルチメディアファイルに生成された遺伝子情報を結合させて転送する遺伝子生成モジュールと、上記遺伝子生成モジュールから送出される遺伝子情報が結合されたマルチメディアファイルを受信して上記マルチメディアファイルと結合された遺伝子情報を抽出し、抽出された遺伝子情報と既に格納されている遺伝子情報とを比較して類似した遺伝子情報が存在すると、その結果を出力するコンテンツモニタリングサーバとからなることを特徴とする。
【０００９】
本発明の他の実施例では、マルチメディアコンテンツファイルサービスサーバによりマルチメディアファイルがダウンロード又はアップロードされるシステムにおいて、上記マルチメディアコンテンツファイルサービスサーバに搭載され、上記マルチメディアコンテンツファイルサービスサーバにアップロードされるマルチメディアファイルをダウンロードして上記マルチメディアファイルのオーディオ遺伝子情報を生成し、マルチメディアファイルに生成されたオーディオ遺伝子情報を結合させて転送するオーディオ遺伝子生成モジュールと、上記オーディオ遺伝子生成モジュールから送出されるオーディオ遺伝子情報が結合されたマルチメディアファイルを受信して、上記マルチメディアファイルと結合されたオーディオ遺伝子情報を抽出し、抽出されたオーディオ遺伝子情報と既に格納されているオーディオ遺伝子情報とを比較して類似したオーディオ遺伝子情報が存在すると、その結果を出力するコンテンツモニタリングサーバとを含んでなることを特徴とする、遺伝子情報を用いたマルチメディアコンテンツファイル管理システムが提供される。
【００１０】
なお、本発明の他の実施例は、マルチメディアコンテンツファイルサービスサーバによりマルチメディアファイルがダウンロード又はアップロードされるシステムにおいて、上記マルチメディアコンテンツファイルサービスサーバに搭載され、上記マルチメディアコンテンツファイルサービスサーバにアップロードされるマルチメディアファイルをダウンロードして上記マルチメディアファイルのオーディオ遺伝子情報を生成し、マルチメディアファイルに生成されたオーディオ遺伝子情報を結合させて転送するオーディオ遺伝子生成モジュールと、上記オーディオ遺伝子生成モジュールから送出されるオーディオ遺伝子情報が結合されたマルチメディアコンテンツファイルを受信して、上記マルチメディアコンテンツファイルと結合されたオーディオ遺伝子情報を抽出し、抽出されたオーディオ遺伝子情報と既に格納されているオーディオ遺伝子情報とを比較して類似したオーディオ遺伝子情報が存在すると、その結果を送出する一方で、外部から受信する著作権抵触情報をＤＢとして構築して格納および管理するコンテンツモニタリングサーバと、上記コンテンツモニタリングサーバから送出される比較結果を画面上に表示し、上記比較結果画面により入力される著作権抵触有無情報を上記コンテンツモニタリングサーバに転送する管理者端末機と、上記マルチメディアコンテンツファイルサービスサーバ、コンテンツモニタリングサーバおよび管理者端末機の相互間に通信が行われるようにするデータ通信網とを含んでなることを特徴とする、遺伝子情報を用いたマルチメディアコンテンツファイル管理システムが提供される。
【００１１】
なお、本発明の又他の実施例は、オーディオ遺伝子情報を用いた著作権管理方法において、マルチメディアコンテンツファイルサービスサーバに搭載されたオーディオ遺伝子生成モジュールは、上記マルチメディアコンテンツファイルサービスサーバにアップロードされるマルチメディアコンテンツファイルをダウンロードするステップと、上記マルチメディアコンテンツファイルのオーディオ遺伝子情報を生成するステップと、マルチメディアコンテンツファイルに生成されたオーディオ遺伝子情報を結合させてコンテンツモニタリングサーバに転送するステップとからなることを特徴とする。
【００１２】
なお、本発明の又他の実施例は、オーディオ遺伝子情報を用いた著作権管理方法において、コンテンツモニタリングサーバは、マルチメディアファイルＤＢに登録された著作権のあるマルチメディアコンテンツファイルを読み込むステップと、上記著作権のあるマルチメディアコンテンツファイルのオーディオ遺伝子情報を生成するステップと、生成されたオーディオ遺伝子情報を第２オーディオ遺伝子情報としてオーディオ遺伝子情報ＤＢに格納させるステップとからなることを特徴とする。
【００１３】
なお、本発明の又他の実施例は、オーディオ遺伝子情報を用いた著作権管理方法において、コンテンツモニタリングサーバは、受信モジュールにより上記オーディオ遺伝子生成モジュールから送出されるオーディオ遺伝子情報が結合されたマルチメディアコンテンツファイルを受信するステップと、上記受信モジュールから出力されたマルチメディアコンテンツファイルを入力してオーディオ遺伝子情報を抽出するステップと、上記オーディオ遺伝子情報を第１オーディオ遺伝子情報としてオーディオ遺伝子情報ＤＢに登録された第２オーディオ遺伝子情報と比較して、類似したオーディオ遺伝子情報が存在するか否かを判断するステップと、判断の結果、類似したオーディオ遺伝子情報が存在すると、マルチメディアコンテンツファイルとその結果を管理者端末機に転送するステップとからなることを特徴とする。
【００１４】
本発明の付加的な特徴及び利点は、添付の図面と併せて後述する実施の態様の説明によりさらに明瞭となるであろう。本発明は添付の図面を参照しながらいくつかの実施例によって説明されるが、本発明の範囲はこれらの実施例に限定されるものではなく、したがって当業者は特定の用途に適したさまざまな実施や改良が考えられることを理解するであろう。改良やその同等の例は当業者には明らかであり、添付の請求の範囲の本質および範囲に包含される。
【発明の効果】
【００１５】
本発明によると、ウェブ上に不法でアップロードされる著作権のあるマルチメディアファイルを監視できる効果がある。
【００１６】
これにより、著作権のあるマルチメディアファイルを不法でダウンロードをできないようにして、より品質の良いマルチメディアファイルを作製できる効果がある。
【００１７】
なお、品質の良い映画や音楽を作製することにより創出される経済的な利潤を最大化できる効果もある。
【図面の簡単な説明】
【００１８】
本発明の上記および他の態様および特徴は、添付の図面とあわせた以下の実施例の説明により明らかになる。
【図１】本発明の一実施例による、遺伝子情報を用いたマルチメディアコンテンツファイル管理システムの構成を説明するための図である。
【図２】本発明の具体的な実施例として、オーディオ遺伝子情報を用いた著作権管理システムの構成を説明するための図である。
【図３】図２の著作権管理システムにおけるコンテンツモニタリングサーバの構成を説明するための図である。
【図４】本発明に係るオーディオ遺伝子情報を用いた著作権管理システムの運営方法を説明するための動作流れ図である。
【図５】本発明に係るオーディオ遺伝子情報を用いた著作権管理システムの運営方法を説明するための動作流れ図である。
【図６】本発明に係るオーディオ遺伝子情報を用いた著作権管理システムの運営方法を説明するための動作流れ図である。
【発明を実施するための形態】
【００１９】
以下、添付の図面を参照して本発明の実施例によるコンテンツ監視システムを詳細に説明するが、本発明は、これらの実施例により限定されるものではない。
【００２０】
本発明の基本原理は、ウェブ（Ｗｅｂ）上にアップロードされたマルチメディアコンテンツファイルをダウンロードして識別可能な遺伝子情報を付加した後、上記遺伝子情報と既に格納されている著作権のあるマルチメディアコンテンツファイルの遺伝子情報とを比較することである。
【００２１】
本発明の説明において、関連の公知機能或いは構成についての具体的な説明が本発明の要旨を不要に曖昧にすると判断される場合、その詳細な説明は省略する。
【００２２】
実施例１：マルチメディアファイルが映像データである場合
図１は、本発明の一実施例に係る遺伝子情報を用いたマルチメディアコンテンツファイル管理システムの構成を説明するための図である。
【００２３】
図１に示すように、マルチメディアコンテンツファイルサービスサーバ１０に搭載され、上記マルチメディアコンテンツファイルサービスサーバにアップロードされるマルチメディアファイルをダウンロードして上記マルチメディアファイルの遺伝子情報を生成し、マルチメディアファイルに生成された遺伝子情報を結合させて転送する遺伝子生成モジュール１１が備えられたマルチメディアコンテンツファイルサービスサーバ１０と、上記遺伝子生成モジュール１１から送出される遺伝子情報が結合されたマルチメディアファイルを受信して上記マルチメディアファイルと結合された遺伝子情報を抽出し、抽出された遺伝子情報と既に格納されている遺伝子情報と比較して類似した遺伝子情報が存在すると、その結果を出力するコンテンツモニタリングサーバ２０と、上記コンテンツモニタリングサーバ１０から送出される比較結果を受信して、ユーザにより選択されたマルチメディアファイルの再生可否を決定し、再生決定結果を上記コンテンツモニタリングサーバ２０に送出するユーザ端末機３０と、上記コンテンツモニタリングサーバ２０から送出されるユーザ端末機３０の再生決定結果を画面上に表示する管理者端末機４０と、上記コンテンツモニタリングサーバ２０から送出されるユーザ端末機３０の再生決定結果を画面上に表示する保護者端末機５０と、上記コンテンツファイルサービスサーバ１０、コンテンツモニタリングサーバ２０、ユーザ端末機３０、管理者端末機４０および保護者端末機５０の相互間に通信が行われるようにするデータ通信網６０とで構成される。
【００２４】
上記ユーザ端末機３０は、通信モジュール３２と、マルチメディアコンテンツファイル再生手段３１と、ユーザ等級を入力できるユーザインタフェース３３とを備えた端末機であって、ＩＰＴＶ、ＰＣなどを含む。
【００２５】
上記マルチメディアコンテンツファイルは映像データ及びオーディオデータである。
【００２６】
上記マルチメディアコンテンツファイルサービスサーバ１０は、上記ユーザインタフェース３３により入力される信号に応じてデータ通信網６０を通じて上記マルチメディアコンテンツファイルサービスサーバ１０にオンライン接続をした場合、上記マルチメディアコンテンツファイルサービスサーバ１０で提供する映像データを提供する一方で、ユーザ等級入力案内メッセージを出力し、上記ユーザ等級入力案内メッセージに応じてユーザ等級が入力され、任意の映像データおよびユーザ等級情報が選択された場合、上記選択された映像データとユーザ等級情報とをコンテンツモニタリングサーバ２０に転送し、上記コンテンツモニタリングサーバ２０から再生実行信号が入力される場合にのみ上記ユーザ端末機３０に選択された映像データがダウンロードされるようにする。
【００２７】
上記コンテンツモニタリングサーバ２０は、上記マルチメディアコンテンツファイルサービスサーバ１０から送出されるユーザ等級情報および映像データを受信して上記映像データから遺伝子情報を抽出し、抽出された遺伝子情報と予め登録されている遺伝子情報とを比較して類似した遺伝子情報が存在するか否かを判断し、類似した遺伝子情報が存在すると、映像データの視聴等級情報とユーザ等級情報とを比較して視聴が可能な場合に再生実行信号を上記マルチメディアコンテンツファイルサービスサーバ１０に転送する。
【００２８】
上記コンテンツモニタリングサーバ２０は、映像データの視聴等級情報とユーザ等級情報とを比較した結果、ユーザの視聴不可能な等級である場合、再生禁止信号を上記マルチメディアコンテンツファイルサーバ１０に転送する一方で、上記管理者端末機４０および保護者端末機５０に転送する。
【００２９】
上記のように構成された遺伝子情報を用いたマルチメディアコンテンツファイル管理システムの作用について説明するが、マルチメディアコンテンツファイルを映像データに限定して説明する。
【００３０】
先ず、ユーザが、ユーザ端末機３０の通信モジュール３２によりマルチメディアコンテンツファイルサービスサーバ１０にオンライン接続をすると、マルチメディアコンテンツファイルサービスサーバ１０は、ユーザ端末機３０の画面上にユーザがオンライン状態でダウンロードして使用できる映像およびオーディオコンテンツをはじめとする種々のコンテンツが提供されるようにする。
【００３１】
この際、ユーザが、ユーザインターフェース部３３により望む映像データを選択した場合、マルチメディアコンテンツファイルサービスサーバ１０は、ユーザ端末機３０にユーザ等級入力案内メッセージを出力する。
【００３２】
ユーザが、上記マルチメディアコンテンツファイルサービスサーバ１０のユーザ等級入力案内メッセージに応じてユーザ等級を入力すると、マルチメディアコンテンツファイルサービスサーバ１０は、入力されたユーザ等級情報と選択された映像データとをコンテンツモニタリングサーバ２０に転送する。
【００３３】
そうすると、コンテンツモニタリングサーバ２０は、上記マルチメディアコンテンツファイルサービスサーバ１０から送出されるユーザ等級情報および映像データを受信して上記映像データから遺伝子情報を抽出し、抽出された遺伝子情報と予め登録されている遺伝子情報とを比較して類似した遺伝子情報が存在するか否かを判断し、類似した遺伝子情報が存在すると、映像データの視聴等級情報とユーザ等級情報を比較して視聴が可能な場合に再生実行信号を上記マルチメディアコンテンツファイルサービスサーバ１０に転送する。
【００３４】
そうすると、上記マルチメディアコンテンツファイルサービスサーバ１０は、上記コンテンツモニタリングサーバ２０から再生実行信号が入力される場合にのみ上記ユーザ端末機３０に選択された映像データがダウンロードされるようになる。    上記コンテンツモニタリングサーバ２０は、映像データの視聴等級情報とユーザ等級情報とを比較した結果、ユーザの視聴不可能な等級である場合、再生禁止信号を上記マルチメディアコンテンツファイルサーバ１０に転送する一方で、上記管理者端末機４０および保護者端末機５０に転送する。
【００３５】
一方、上記マルチメディアコンテンツファイルサーバ１０の遺伝子生成モジュール１１は、任意のユーザがマルチメディアコンテンツファイルサーバ１０に映像データをアップロードさせる場合、アップロードされる映像データをダウンロードして上記映像データの遺伝子情報を生成し、マルチメディアファイルに生成された遺伝子情報を結合させてマルチメディアコンテンツモニタリングサーバ２０に転送する。
【００３６】
そうすると、マルチメディアコンテンツモニタリングサーバ２０は、上記遺伝子生成モジュール１１から送出される遺伝子情報が結合されたマルチメディアコンテンツファイルを受信して上記マルチメディアコンテンツファイルと結合された遺伝子情報を抽出し、抽出された遺伝子情報と既に格納されている遺伝子情報とを比較して類似した遺伝子情報が存在すると、著作権のある映像データとして判断し、ユーザからダウンロード要請がある場合にダウンロードされるようになる。
【００３７】
実施例２：マルチメディアコンテンツファイルがオーディオデータである場合
本発明についての詳細な説明において、図面符号１１０は、場合によってオーディオ遺伝子生成モジュール又は第１オーディオ遺伝子生成モジュールとする。
【００３８】
図２は、本発明の実施例によるコンテンツ監視システムを概略的に示すブロック図である。
【００３９】
図２を参照すると、本発明の実施例によるコンテンツ監視システム１００の構成は、マルチメディアコンテンツファイルサービスサーバ１００に搭載され、上記マルチメディアコンテンツファイルサービスサーバ１００にアップロードされるマルチメディアファイルをダウンロードして上記マルチメディアファイルのオーディオ遺伝子情報を生成し、マルチメディアファイルに生成されたオーディオ遺伝子情報を結合させて転送するオーディオ遺伝子生成モジュール１１０と、上記オーディオ遺伝子生成モジュール１１０から送出されるオーディオ遺伝子情報が結合されたマルチメディアファイルを受信して上記マルチメディアコンテンツファイルと結合されたオーディオ遺伝子情報を抽出し、抽出されたオーディオ遺伝子情報と既に格納されているオーディオ遺伝子情報と比較して類似したオーディオ遺伝子情報が存在すると、その結果を送出する一方で、外部から受信する著作権抵触情報をＤＢとして構築して格納および管理するコンテンツモニタリングサーバ２００と、上記コンテンツモニタリングサーバ２００から送出される比較結果を画面上に表示し、上記比較結果画面により入力される著作権抵触有無情報を上記コンテンツモニタリングサーバ２００に転送する管理者端末機３００と、上記マルチメディアコンテンツファイルサービスサーバ１００、コンテンツモニタリングサーバ２００および管理者端末機３００の相互間に通信が行われるようにするデータ通信網４００とで構成される。
【００４０】
上記コンテンツモニタリングサーバ２００は、上記管理者端末機３００により著作権抵触有無情報が入力されたマルチメディアファイルを格納させて管理する著作権管理情報ＤＢ２１０と、複数の著作権があるマルチメディアファイルを格納するマルチメディアファイルＤＢ２２０と、複数の第２オーディオ遺伝子情報を格納しているオーディオ遺伝子情報ＤＢ２３０と、著作権が付与されたマルチメディアファイルを不法にアップロードさせたユーザ端末機の出処情報を不法アップロード出処情報に上記著作権が付与されたマルチメディアファイルにマッチングさせて格納する不法アップロード出処情報ＤＢ２３５と、上記マルチメディアファイルＤＢ２２０に登録された著作権のあるマルチメディアファイルを読み込み、上記著作権のあるマルチメディアファイルのオーディオ遺伝子情報を生成し、生成されたオーディオ遺伝子情報を第２オーディオ遺伝子情報として上記オーディオ遺伝子情報ＤＢ２３０に格納されるようにする第２オーディオ遺伝子情報生成モジュール２４０と、上記第１オーディオ遺伝子生成モジュール１１０から送出されるオーディオ遺伝子情報が結合されたマルチメディアファイルを受信する受信モジュール２４５と、上記受信モジュール２４５から出力されたマルチメディアファイルを入力してオーディオ遺伝子情報を抽出し、上記オーディオ遺伝子情報を第１オーディオ遺伝子情報として上記オーディオ遺伝子情報ＤＢ２３０に登録された第２オーディオ遺伝子情報と比較して、類似したオーディオ遺伝子情報が存在するか否かを判断して類似したオーディオ遺伝子情報が存在すると、マルチメディアファイルとその結果を上記管理者端末機３００に転送する著作権抵触モニタリング部２５０と、上記管理者端末機３００から送出される著作権抵触有無情報を受信して、上記著作権抵触モニタリング部２５０にモニタリングされているマルチメディアファイルが著作権を抵触していると判定された場合、上記マルチメディアファイルのアップロード出処情報を上記アップロード不法出処情報ＤＢ２３５に登録させて管理するアップロード不法出処情報更新部２６０とで構成される。
【００４１】
上記マルチメディアコンテンツファイルは、ウェブ基盤のページにアップロードされたファイルである。
【００４２】
上記第１及び第２オーディオ遺伝子情報は、上記マルチメディアコンテンツファイルの著作権を判断できる少なくとも一つ以上の情報からなる。
【００４３】
図２のように構成された本発明の実施例によるオーディオ遺伝子情報を用いた著作権管理システムの運営方法を説明する。
【００４４】
（第１オーディオ遺伝子情報生成ルーチン）
先ず、マルチメディアコンテンツファイルサービスサーバ１００に搭載された第１オーディオ遺伝子生成モジュール１１０は、図４に示すように、受信モジュール２４５により上記マルチメディアコンテンツファイルサービスサーバ１００にアップロードされるマルチメディアコンテンツファイルをダウンロードし（Ｓ１１０）、上記マルチメディアコンテンツファイルのオーディオ遺伝子情報を生成し（Ｓ１２０）、マルチメディアコンテンツファイルに生成されたオーディオ遺伝子情報を結合させてコンテンツモニタリングサーバ２００に転送する（Ｓ１３０）。
【００４５】
（第２オーディオ遺伝子情報生成ルーチン）
一方、コンテンツモニタリングサーバ２００の第２オーディオ遺伝子情報生成部２４０は、図５に示すように、上記マルチメディアファイルＤＢ２２０に登録された著作権のあるマルチメディアコンテンツファイルを読み込み（Ｓ２１０）、上記著作権のあるマルチメディアコンテンツファイルのオーディオ遺伝子情報を生成し（Ｓ２２０）、生成されたオーディオ遺伝子情報を第２オーディオ遺伝子情報として上記オーディオ遺伝子情報ＤＢ２３０に格納されるようにする（Ｓ２３０）。
【００４６】
（著作権抵触モニタリングルーチン）
上記のように、著作権のあるマルチメディアコンテンツファイルのオーディオ遺伝子情報をＤＢとして構築した後、構築されたＤＢを持続的に更新するコンテンツモニタリングサーバ２００は、著作権抵触モニタリング部２５０を活用してマルチメディアコンテンツファイルサービスサーバ１００により不法で流通するマルチメディアコンテンツファイルをモニタリングすることになる。
【００４７】
即ち、著作権抵触モニタリング部２５０は、図６に示すように、受信モジュール２４５により上記第１遺伝子生成モジュール１１０から送出されるオーディオ遺伝子情報が結合されたマルチメディアファイルを受信し（Ｓ４１０）、上記受信モジュール２４５から出力されたマルチメディアファイルを入力してオーディオ遺伝子情報を抽出し（Ｓ４２０）、上記オーディオ遺伝子情報を第１オーディオ遺伝子情報として上記オーディオ遺伝子情報ＤＢ２３０に登録された第２オーディオ遺伝子情報と比較し（Ｓ４３０）、類似したオーディオ遺伝子情報が存在するか否かを判断（Ｓ４４０）する。
【００４８】
上記ステップＳ４４０の判断の結果、類似したオーディオ遺伝子情報が存在する場合、著作権抵触モニタリング部２５０はマルチメディアファイルとその結果を上記管理者端末機３００に転送する（Ｓ４５０）。
【００４９】
そして、コンテンツモニタリングサーバ２００は、上記管理者端末機３００から送出される著作権抵触有無情報を受信して、上記著作権抵触モニタリング部２５０にモニタリングされているマルチメディアファイルが著作権を抵触していると判定した場合、アップロード不法出処情報更新部２６０により、上記マルチメディアファイルのアップロード出処情報を上記アップロード不法出処情報ＤＢ２３５に登録させて管理できるようにする（Ｓ４６０）。即ち、コンテンツモニタリングサーバ２００の運営者は、マルチメディアファイルが不法にアップロードされる場合、マルチメディアファイルのあるホームページなどの住所を管理して、当該ホームページを一定期間閉鎖させるなどの措置を取ることにより、マルチメディアファイルが不法でない正当な方式によって流通するように誘導できることになる。
【００５０】
上記ステップＳ４４０での類似したオーディオ遺伝子情報は、第１オーディオ遺伝子情報および第２オーディオ遺伝子情報の比較結果が５０％以上一致するか、或いは７０％以上一致することを意味し、運営者の設定により変更可能であることは当業者には自明であろう。
【００５１】
本発明は好ましい実施例を用いて説明されたが、当業者は以下の請求の範囲に定義されている本発明の本質および範囲を逸脱せずにさまざまな変更や改良がなされることを理解するであろう。
【図１】
2012528378.tif 000003
【図２】
2012528378.tif 000004
【図３】
2012528378.tif 000005
【図４】
2012528378.tif 000006
【図５】
2012528378.tif 000007
【図６】
2012528378.tif 000008
【国際調査報告】
2012528378.tif 000009
2012528378.tif 000010
2012528378.tif 000011